(57)【要約】【課題】防盗性を向上させたシリンダ錠。【解決手段】ハウジングとシリンダとの間に設けられ、該シリンダの回動に伴いシリンダ径方向内方向に移動すると共に前記連結部材を解錠部材側に移動させるスライド部材は、その傾斜面が前記シリンダ径方向内方向に移動する際に前記連結部材を押圧変位させ、前記ロータと前記連結部材との係合を解除する。さらにスライド部材はシリンダ径方向内方向に移動する際にロータと回転方向で係合する。【選択図】        図１
2006299722.tif 000002
【特許請求の範囲】
【請求項１】
基体に固定されたハウジングと、該ハウジングに内装されたシリンダと、該シリンダと係合する出没可能なタンブラーを有し、正規キーの挿入によりタンブラーが没入して前記シリンダとの係合が外れて該シリンダ内を回転するロータと、該ロータに着脱可能に嵌合された連結部材と、該連結部材にこれと一体に回転可能に係合され、ロック装置に伝達部材を介して連結される解錠部材と、前記連結部材をロータと嵌合する方向に付勢するばねと、からなり、前記ハウジングとシリンダとの間に設けられたスライド部材が前記シリンダの回動に伴いシリンダ径方向内方向に移動すると共に、前記スライド部材に形成された傾斜面が前記連結部材を前記ばねに抗して押圧変位させ、前記ロータと前記連結部材との係合を解除することを特徴とするシリンダ錠。
【請求項２】
前記スライド部材はシリンダ径方向内方向に移動すると前記ロータに対し回転方向で係合することを特徴とする請求項１記載のシリンダ錠。
【発明の詳細な説明】
【技術分野】
【０００１】
本発明は、車両用ドアロック装置などの施錠及び解錠を行うシリンダ錠に関し、特に前記ロック装置の不正解除を防止できるシリンダ錠に関する。
【背景技術】
【０００２】
シリンダ錠は、一般に車体などの基体に固定され係合溝を有するハウジングと、ハウジング内に回転可能に設けられた没入可能なタンブラーを有するロータと、ロータの小径部に結合されると共にロック装置に連係された解錠部材とにより概略構成されている。この構成において、正規のキーを挿入してロータを回転すると、ロータの外周面にタンブラーが没入して、ハウジング内でロータが回転する。そのため、ロータと共に解錠部材も回転し、ロッド等の伝達部材を介してロック装置の施錠及び解錠が可能になる。
【０００３】
これに対し、シリンダ錠に不正なキーまたは不正な器具を挿入すると、ロータから突出するタンブラーがハウジングの係合溝に係合したままとなり、ロータが回転せずロック装置の不正解除が阻止される。しかし、そのままの状態でロータを無理やり回転させると、ハウジングの係合溝と係合するタンブラーが破損し、ロータ装置が不正に解除されるおそれがある。
【０００４】
そこで、筒状をなし固定状態に設けられるロータケースと、円筒状をなしこのロータケースの内部に回動可能に設けられ、タンブラ係合溝を形成すると共に軸方向に延びる案内溝を形成したスリーブと、このスリーブの内部に回動可能に設けられ、キー挿通孔を軸方向に形成すると共にタンブラ配置溝を径方向に形成し、さらに後部に係合部を形成したキーロータと、前記係合部に対し係脱可能に係合する被係合部を有して前記キーロータの後部に係合位置と係合解除位置との間で軸方向に移動可能に設けられ、係合位置では被係合部が係合部と係合してキーロータにより回動されるロックレバーと、前記タンブラ配置溝に径方向に移動可能に配置されると共にばね部材により一方向に移動付勢され、キー挿入前の状態では一端部がタンブラ配置溝から突出して前記タンブラ係合溝に係合し、正規のキーの挿入によりタンブラ配置溝内に収容されるタンブラと、前記スリーブの案内溝に軸方向に移動可能に配置され、そのスリーブと共に回動される可動バーと、前記ロータケースの内周部に前記可動バーに対応して設けられ、前記タンブラが前記タンブラ係合溝に係合した状態で前記スリーブがキーロータと共に回動されることに伴い、可動バーを介し前記ロックレバーを後方の係合解除位置へ移動させて前記係合部と被係合部との係合を解除させるカム溝と、を具備してなるシリンダ錠装置が提案されている（特許文献１参照。）。
【特許文献１】特許第２８８１１０３号公報
【発明の開示】
【発明が解決しようとする課題】
【０００５】
この構成において、不正なキーでキーロータを回転させると、スリーブはこれと共に回動する。このとき、スリーブの案内溝に設けられた可動バーがローターケースに設けられたカム溝によって後方へ押されて移動し、この可動バーによりロックレバーが後方へ押されてキーロータとロックレバーとの係合が解除される。これにより、ロック装置の不正解除を防止するものであるが、スリーブの案内溝に配置された可動バーが軸方向にスライドする構造となっているため、可動バーの長さが長くなり、必然的にシリンダ錠装置も大型化し、重量も増大するという問題点があった。
【０００６】
本発明は、上記問題点に鑑みなされたもので、シリンダ径方向内方向に軸移動するスライド部材を用いることによって、該部材自体を小型化できると共に、シリンダ錠本体も小型化と軽量化を可能し、しかも不正なキーによって操作されたロータがキー挿脱位置以外の位置とされロータと連結部材との連結が解除されたまま放置されても、正規のキーを挿入し回転させることによって正常な解錠操作を可能としたロック装置の不正解除を防止できるシリンダ錠を提供するものである。
【課題を解決するための手段】
【０００７】
このため本発明は、基体に固定されたハウジングと、該ハウジングに内装されたシリンダと、該シリンダと係合する出没可能なタンブラーを有し、正規キーの挿入によりタンブラーが没入して前記シリンダとの係合が外れて該シリンダ内を回転するロータと、該ロータに着脱可能に嵌合された連結部材と、該連結部材にこれと一体に回転可能に係合され、ロック装置に伝達部材を介して連結される解錠部材と、前記連結部材をロータと嵌合する方向に付勢するばねと、からなり、前記ハウジングとシリンダとの間に設けられたスライド部材が前記シリンダの回動に伴いシリンダ径方向内方向に移動すると共に、前記スライド部材に形成された傾斜面が前記連結部材を前記ばねに抗して押圧変位させ、前記ロータと前記連結部材との係合を解除することを第１の特徴とする。
【０００８】
また、前記スライド部材はシリンダ径方向内方向に移動すると前記ロータに対し回転方向で係合することを第２の特徴とする。
【０００９】
上記の構成において、正規のキーをロータに挿入すると、タンブラーが没入してシリンダとロータとの係合が解除され、該ロータの回動によって解錠部材も回動し、正常な解錠作業が可能となる。
【００１０】
一方、不正なキーをロータに挿入し回動させると、タンブラーは没入せずシリンダとロータとは係合したまま回動する。この際、ハウジングとシリンダとの間に設けられたスライド部材は、前記ハウジングに設けられたカム構造によってシリンダ径方向内方向に移動し、前記ロータに回転方向で係合すると同時に前記スライド部材に形成された傾斜面が前記連結部材を前記ばねに抗して押圧変位させるため、前記ロータと前記連結部材との係合が解除されロック装置の不正解除を防止できる。
【発明の効果】
【００１１】
本発明に係るシリンダ錠によれば、不正なキー操作でロータを回転させると、カム構造を介してスライド部材がシリンダ径方向内方向へ移動すると共に、前記スライド部材に形成された傾斜面が前記連結部材を前記ばねに抗して押圧変位させ前記ロータと前記連結部材との係合を解除し、ロック装置の不正解除を防止できるという優れた効果を有する。
【００１２】
しかも、前記スライド部材は前記ハウジングとシリンダとの間に設けられシリンダ径方向内方向へ移動するため、部材を小型化することが可能であり、シリンダ錠本体も小型化と軽量化が可能となるという効果を有する。
【００１３】
そして、前記スライド部材はシリンダ径方向内方向に移動すると前記ロータに対し回転方向で係合するため、不正なキーによって操作されたロータがキー挿脱位置以外の位置とされロータと連結部材との連結が解除されたまま放置されても、正規のキーを挿入し回転させることによってロータと共にシリンダも回転し、ハウジング内側に設けられたカム構造によって前記スライド部材がシリンダ径方向外方向の初期位置に復帰し、これに伴い連結部材がシリンダ方向へ軸移動しロータと係合するため正常な解錠操作ができるという優れた効果を有する。
【発明を実施するための最良の形態】
【００１４】
以下、本発明を実施するための最良の形態を図面に示す実施例に基づいて説明する。図１は本発明の一実施例に係るシリンダ錠を示す分解斜視図、図２はシリンダ錠のキー操作の説明断面図、図３はスライド部材が径方向へ移動する状態を示す要部説明図である。
【実施例】
【００１５】
図１に示すように、本発明に係るシリンダ錠は、基体である車体開閉部に固定されたハウジング１と、このハウジング１内に回転自在に設けられたシリンダ３と、シリンダ３に装着され出没可能なタンブラーを有する段付形状のロータ２と、このロータ２の後端部に連結された解錠部材５と、前記ロータ２の後端部に着脱可能に嵌合された連結部材４及びリターンスプリング６と、連結部材４とリターンスプリング６の間に配置されるカラー７と、ハウジング１とシリンダ３との間に配置されたスライド部材８と、からなっている。
【００１６】
ハウジング１の前端側縁部にはロータ２のフランジ部９の当接面１０と当接する当接部１１が周方向に対向して形成されている。ハウジング１内には、後端側から前記シリンダ３が回転可能に挿入され、前端側から挿入されたロータ２は前記シリンダ３内に装着されている。ここでロータ２の軸方向の移動は、ハウジング１の当接部１１とロータ２のフランジ部９の当接面１０とが当接することにより規制される。また、図２及び図３に示すようにハウジング１の後端側の内周部にはカム溝１２が対向して形成されている。
【００１７】
ロータ２には、後述する係合溝１３と係合するタンブラー１４が出没可能に設けられると共に、フランジ部９の前面にはキー溝１５が形成されている。キー溝１５に正規のキーを挿入することで、タンブラー１４が没入して係合溝１３との係合が解除され、その解除状態では、正規のキー操作によるロータ２の回転により施解錠が可能になる。ロータ２はフランジ部９から延出する前部側を大径部１６とされ、後部側を小径部１７とされている。大径部１６の小径部１７近傍両側には周方向に形成された一対の係合切り欠き部１８が設けられ、後述する連結部材４の係合凸部１９が係入する。また、小径部１７の後端には、周方向に延びるＥリング２０嵌合用の周溝２１が設けられている。
【００１８】
上記シリンダ３には、ロータ２の大径部１６が回転可能に装着され、シリンダ３の内面には軸方向に延びる係合溝１３が対向して形成され、この係合溝１３にはロータ２の周面より突出するタンブラー１４が係合する。シリンダ３の後端フランジ部２２には後述するスライド部材８を径方向移動を可能として保持するガイド溝２３が形成され、さらにガイド溝２３に連続して挿通孔２４が穿設されている。
【００１９】
スライド部材８は略楔形状をしており、シリンダ３のガイド溝２３と挿通孔２４とハウジング１とで保持されると共に、シリンダ３の径方向で移動可能とされ、スライド部材８の傾斜面２５は後述する連結部材４の傾斜面２６と当接する。またスライド部材８の先端部２７はハウジング１のカム溝１２の形状と合致する形状に形成されており、正規のキーでロータ２が操作される際にはスライド部材８の先端部２７はカム溝１２に係合している。そして、不正なキーでロータ２が操作されるとシリンダ３も連動して回転するためスライド部材８は先端部２７とカム溝１２との係合が解除されて径方向内方向へ移動し、スライド部材８の他端部が挿通孔２４を挿通してローター２の大径部１６に設けられた係合切り欠き部１８と回転方向で係合する。
【００２０】
ロータ２の小径部１７には、シリンダ３の後端と当接する連結部材４と、連結部材４をシリンダ３側に常時付勢するリターンスプリング６と、樹脂製の略Ｃ字形状カラー７と、解錠部材５が、後述するカラー７に設けられた係合手段によって係合され一体に構成され装着されている。連結部材４は挿通孔２８を有して円板状に形成されており、連結部材４の前面にはロータ２の大径部１６の係合切り欠き部１８と対応する一対の係合凸部１９が挿通孔２８近傍に設けられ、これにより大径部１６の係合切り欠き部１８には、連結部材４の係合凸部１９が着脱可能に係合する。また、連結部材４の前面外周縁部にはスライド部材８の傾斜面２５と当接する傾斜面２６が形成されており、スライド部材８のシリンダ３の径方向内方向への移動に伴い傾斜面２６が押圧され、連結部材４はリターンスプリング６に抗して解錠部材５方向へ軸移動する。
【００２１】
連結部材４の背面には、軸方向に延びる係合突起２９が所定位置に設けられ、係合突起２９の略中央部にはカラー７の外周面に設けられた１対の係合凸部３０が係合する係合孔部３１が設けられている。連結部材４の係合突起２９の内周面と、カラー７の外周面とは当接面とされ、カラー７の内周面はリターンスプリング６の当接面とされている。カラー７の後端部には係合凸部３０の軸方向に延出して１対の鉤型係合部３２が対向して設けられている。またリターンスプリング６は、連結部材４をシリンダ３方向に常時付勢すると同時に連結部材４をハウジング１に対して初期の回転位置に回転復帰するようにされている。
【００２２】
リターンスプリング６の後方に配置された解錠部材５には、連結部材４の係合突起２９が係合する係合孔部３６と、係合孔部３６内に設けられカラー７の鉤型係合部３２が係合する係合段部３３と、ロータ２の小径部１７が挿通する挿通孔３４とが形成されており、係合孔部３６には連結部材４の係合突起２９とカラー７の鉤型係合部３２が軸方向に移動可能且つ回転不能に係合している。つまり解錠部材５は連結部材４に対し、連結部材４の回転に伴い、軸周り方向にのみ一体的に回転可能とされるとともに、連結部材４はカラー７と共に軸方向に移動可能とされている。そして解錠部材５の前面縁部にはリターンスプリング６の先端部と係合する脚部３５が形成されており、連結部材４とカラー７とリターンスプリング６と解錠部材５とを一体に組み付ける際にリターンスプリング６の一端が係止され、リターンスプリング６の他端が連結部材４に係合する。そして一体に組み付けられた連結部材４とカラー７とリターンスプリング６と解錠部材５は、ハウジング１の後端側からロータ２の小径部が挿入されるかたちで装着され、リターンスプリング６の両端部は各々ハウジング１の後端内側に形成された一対の係合部３７に係合して組み付けられる。こうして挿通孔３４にはロータ２の小径部１７が回転可能に挿通され、小径部１７の周溝２０には、抜け止め用のＥリング１９が嵌合される。さらに解錠部材５にはワイヤ（図示せず）が取り付けられロック装置（図示せず）に連結されている。
【００２３】
上記の構成において、正規のキーをキー溝１５に挿入して回転操作すると、タンブラ１４が没入するので、係合溝１３との係合が外れてロータ２が回転する。それによりロータ２とカラー７と連結部材４が共に回転し、解錠部材５も回転する。これによりロータ２の回転位置に応じた施解錠が可能になる。
【００２４】
一方、不正なキーや器具を用いて回転操作した場合は、タンブラ１４がシリンダ３の係合溝１３に係合したままであるのでロータ２と連係してシリンダ３も回転し、カム溝１２を介してスライド部材８がシリンダ３の径方向内方向に移動し連結部材４を解錠部材５方向へ軸移動させることから、連結部材４とロータ２との係合が解除されて、ロータ２は空回りするようになる。このように連結部材４とロータ２の係合が解除されているため、ロータ２が回転しても連結部材４は回転せず、連結部材４と係合する解錠部材５も回転しないため、不正なキーや器具によるロック装置の不正な解除が防止できる。
【００２５】
ここで、不正なキーや器具がロータ２のキー挿脱位置以外で抜き取られ放置されても、図２および図３に示すようにスライド部材８はシリンダ３の径方向内方向へ移動し、ロータ２の係合切り欠き部１８と係合しているため、次に正規のキーをキー溝１５に挿入しロータ２を回転させるとシリンダ３も回転し、シリンダ３のガイド溝２３にて保持されているスライド部材８がハウジング１のカム溝１２に対応する位置になったとき係合するため、リターンスプリング６の軸方向の付勢によって連結部材４がシリンダ３方向に軸移動しロータ２と係合するため正常な解錠操作ができる。
【００２６】
以上のように本発明のシリンダ錠が構成されているため、不正なキーや器具でロータを回転させると、カム機構を介してスライド部材がシリンダの径方向内方向に移動し、同時に連結部材も後端方向に軸移動し、前記連結部材と前記ロータとの係合が解除されロック装置の不正解除を防止できる。しかも前記ロータがキー挿脱位置以外の位置に放置されても、次に正規のキーを挿入してロータを回転させ、該ロータと係合するシリンダを回転させると共に連結部材をシリンダ側に軸移動させることにより、前記連結部材と前記ロータが嵌合連結され正常な解錠操作ができる。
【００２７】
しかも、シリンダ径方向に移動する略楔形のスライド部材を使用しており、部材のサイズを小型化することが可能であり、シリンダ錠自体も小型化と軽量化が可能である。
【図面の簡単な説明】
【００２８】
【図１】本発明の一実施例に係るシリンダ錠を示す分解斜視図である。
【図２】本発明の一実施例に係るシリンダー錠のキー操作の説明断面図である。
【図３】スライド部材が径方向へ移動する状態を示す要部説明図である。
【符号の説明】
【００２９】
１                ハウジング
２                ロータ
３                シリンダ
４                連結部材
５                解錠部材
６                リターンスプリング
７                カラー
８                スライド部材
９、２２          フランジ部
１０                当接面
１１                当接部
１２                カム溝
１３                係合溝
１４                タンブラー
１５                キー溝
１６                大径部
１７                小径部
１８                係合切り欠き部
１９                係合凸部
２０                Ｅリング
２１                周溝
２３                ガイド溝
２４、２８、３４    挿通孔
２５、２６          傾斜面
２７                先端部
２９                係合突起
３０                係合凸部
３１、３６          係合孔部
３２                鉤型係合部
３３                係合段部
３５                脚部
３７                係合部
【図１】
2006299722.tif 000003
【図２】
2006299722.tif 000004
【図３】
2006299722.tif 000005